(57)【特許請求の範囲】
【請求項１】
略縦板形状の探査側引出し端子の一側面に略円筒状の電極を略直角に突設してモールド型断路器用の可動電極とし、上記探査側引出し端子の他側面にナイフ型電極を略直角に突設してピラ型断路器用の可動電極とし、当該探査側引出し端子の下端部に棒状の課電探査機用の接続電極を設け、この接続電極の周囲に上端が閉口し、下端が開口した略円筒状の絶縁カバーを被せて設け、上記一方の可動電極を相応する断路器の固定電極に電気的に接続させる際、上記他方の可動電極には、上記双方の可動電極に被冠できる孔を設けた絶縁ゴムカバーを被せることを特徴とする、断路器接続用アダプタ。
【発明の詳細な説明】
【０００１】
【発明の属する技術分野】
この発明は、地中線系統の事故点を探査する際に使用する、課電式事故探査機の探査電源を、配電用供給箱内のモールド型断路器又はピラ型断路器のどちらの機種からでも注入することができる断路器接続用アダプタに関するものである。
【０００２】
【従来の技術】
従来から、地中線系統の事故点を探査する際に使用する課電式事故探査機の探査電源を注入するに際して、高圧キャビネット等の配電用供給箱の内部に設置されたモールド型断路器又はピラ型断路器の閉路蓋を開放し、当該断路器のケーブル側の固定電極に、事故探査機に接続されたワニ口クリップを直接接続して探査電源を注入していた。
【０００３】
【発明が解決しようとする課題】
しかしながら、高圧キャビネット等の配電用供給箱の内部に設置されているモールド型断路器又はピラ型断路器の固定電極に、直にワニ口クリップを挟んで接続していたため、事故探査機を移動させる力に追従してワニ口クリップが引っ張られて外れたり、またワニ口クリップにより挟持している箇所が露出しているため、何らかの理由により外部から衝撃を受けると簡単に接続が外れるということがあり、また露出しているので安全性の面でも問題があった。これらの結果、探査機の電源を安定して確実に得ることが困難な場合があった。
【０００４】
この発明は、これらの点に鑑みて成されたもので、安全、確実かつ容易に探査電源を注入することができる断路器接続用アダプタを提供するものであるが、加えて、上記の通り配電用供給箱の内部に設置されている断路器の多くは、モールド型断路器又はピラ型断路器であり、夫々専用のアダプタを作成して用意するのも煩雑であるので、これらのどちらの断路器であっても対応できる、断路器接続用アダプタを提供して上記課題を解決するものである。
【０００５】
【課題を解決するための手段】
請求項１項の発明は、略縦板形状の探査側引出し端子の一側面に略円筒状の電極を略直角に突設してモールド型断路器用の可動電極とし、上記探査側引出し端子の他側面にナイフ型電極を略直角に突設してピラ型断路器用の可動電極とし、当該探査側引出し端子の下端部に棒状の課電探査機用の課電探査機用の接続電極を設け、この接続電極の周囲に上端が閉口し、下端が開口した略円筒状の絶縁カバーを被せて設け、上記一方の可動電極を相応する断路器の固定電極に電気的に接続させる際、上記他方の可動電極には、上記双方の可動電極に被冠できる孔を設けた絶縁ゴムカバーを被せる断路器接続用アダプタとした。
【０００６】
【発明の実施の形態】
次にこの発明の実施の形態例を図に基づいて説明する。
図１及び図２に示すのは、この発明の実施の形態例である。この実施の形態例の断路器接続用アダプタ１は、全体の構成としては、上部に２つの可動電極２、３を背中合わせに設け、下部には探査機に接続される棒状の課電探査機用の接続電極４を設け、中心にこれらの３個の電極を夫々接続した探査側引出し端子５を設けている。
【０００７】
順に述べると、図３及び図４に示す略縦板形状の探査側引出し端子５の上部の板体５ａの中央に縦にネジ孔５ｃ、５ｄ、及び貫通孔５ｅを穿っており、下部はこの上部を支持する棒状体５ｂで構成されている。この棒状体５ｂの下端部にはネジ孔（図示省略）を穿っている。
【０００８】
上記可動電極の一方の可動電極２は、図１及び図５に示すように略円筒状のモールド型断路器用の可動電極２であり、一方の端部は開口部２ａと成っているが、他方の端部は閉じている。この閉じた側の端部は、外側の中央部を中心に一定径の突出部２ｂとなっており、その外周はネジ切りされている。また円筒部の奥部には外側に連絡された空気抜き用の孔２ｃを設けている。
他方の可動電極３は、図６乃至図８に示すようにピラ型断路器用の可動電極３であり、略縦板形状の板体を長手方向に略コの字型に折り曲げて、両側端をその上部から下部にかけて傾斜したナイフ型電極としたものであり、屈曲した背中に相当する板体部３ａに上記ネジ孔５ｃ、５ｄ、貫通孔５ｅの位置に相応して貫通孔３ｂ、３ｃ、ネジ孔３ｄを穿っている。上記両側端のナイフ型電極は、夫々その先端部中央から水平方向に切欠き部３ｅを設けている。
【０００９】
探査機に接続される棒状の課電探査機用の接続電極４は、図９に示すようにその一方の端部４ａは周囲がネジ切りされており、他方の端部は電極の先端部４ｂである。またこの棒状の接続電極４は、図１に示す如く円筒状の絶縁ゴムカバー６によって長手方向に被覆されている。この絶縁ゴムカバー６は、一方の端部は中央部を中心に段部を設けて狭く成った開口部６ａとなっており、他方の端部は円筒状のままの開口部６ｂとなっている。
また断路器接続用アダプタ１を使用して、どちらか一方の可動電極を相応するモールド型断路器、又はピラ型断路器の固定電極に嵌め入れた際、他方の可動電極は露出しており、このままでは危険なので、図１０乃至図１３に示す上記２種類の可動電極２、３の断面形状の孔７ａ、７ｂを穿った、閉路蓋の形状をした絶縁ゴムカバー７を被せれば安全であり、またこの絶縁ゴムカバー７を被せていれば、断路器接続用アダプタ１使用の際に当該断路器接続用アダプタ１を持つ取っ手として使用でき便利である。この絶縁ゴムカバー７の孔７ａ、７ｂを設けた端面側の下縁部は一定長突出して、上記露出した固定電極に被冠される際のガイド部７ｃとなっており、さらにこのガイド部７ｃの平面中央には、円形状に貫通孔７ｄを穿っており、上記端面側の一部は切り取られて切り欠き部７ｅとなっている。
【００１０】
この様な構成部から成る断路器接続用アダプタ１を組み立てる。
まず探査側引出し端子５の板体５ａの他方の側面のネジ孔５ｃ、５ｄ、貫通孔５ｄの位置に、ピラ型断路器用の可動電極３の板体部３ａを背中合わせにして貫通孔３ｂ、３ｃ、ネジ孔３ｄの位置を合わせて、探査側引出し端子５の板体５ａにピラ型断路器用の可動電極３の板体部３ａを当接する。その後、探査側引出し端子５の板体５ａの一方の側面から貫通孔５ｅ及びネジ孔３ｄに略円筒状のモールド型断路器用の可動電極２の突出部２ｂを螺着し、板体５ａの他方の側面から上下の貫通孔３ｂ、３ｃ及びネジ孔５ｃ、５ｄにピラ型断路器用の可動電極３の板体部３ａをネジ（図示省略）により螺着する。さらにこの探査側引出し端子５の下部の棒状体５ｂに下方から絶縁ゴムカバー６の狭くなった開口部６ａを被せ、当該棒状体５ｂの下端部のネジ孔に接続電極４のネジ切りされた端部４ａを大ワッシャ４ｃと小ワッシャ４ｄを介して螺着させている。
【００１１】
次に高圧キャビネット等の配電用供給箱の内のモールド型断路器の固定電極にこの断路器接続用アダプタ１を接続して、課電探査機に電源を注入する方法を述べる。まず今回接続しないピラ型断路器用の可動電極３に、図１及び図１４に示すように絶縁ゴムカバー７を被せる。
この図１４は、高圧キャビネット内に設置されたモールド型断路器８に地中から立ち上げたケーブル９が下方から接続されており、またモールド型断路器８からは上方へモールド母線１０が延びている状態を示す。このモールド型断路器８の可動蓋（図示省略）を外して、ケーブル９側の固定電極８ａに、上記絶縁ゴムカバー７を被せた可動電極３部分を取っ手として持って、断路器接続用アダプタ１の可動電極２を嵌め入れる。この時絶縁ゴムカバー７のガイド部７ｃの貫通孔７ｄの切欠き部７ｅから、絶縁カバー６で被覆された、接続電極４を接続した探査側引出し端子５の棒状体５ｂを取り込んで、貫通孔７ｄから接続電極４を下方に突出させる。その後絶縁ゴムカバー６内の棒状の接続電極４に、課電探査機から伸ばされた接続電極（図示省略）を接続する。またモールド型断路器８の他方の固定電極８ｂには閉路蓋１１を被覆する。
【００１２】
またピラ型断路器１２の固定電極１２ａにこの断路器接続用アダプタ１を接続する場合は、接続しないモールド型断路器８用の可動電極２に、図１５に示すように絶縁ゴムカバー７を被せ、これを取っ手として持って、断路器接続用アダプタ１の可動電極３をピラ型断路器１２のケーブル９側の固定電極１２ａに嵌め入れる。さらにピラ型断路器１２の他方の固定電極１２ｂには半回路蓋１３が被覆されている。その他は、上記モールド型断路器８の場合と同様である。
これにより安全、確実かつ容易に探査電源を注入することができる。
【００１３】
上記実施の形態例においては、探査側引出し端子５にモールド型断路器用の可動電極２及びピラ型断路器用の可動電極３とをネジ込み又はネジにより螺着して固定しているが、固定の仕方はこれらに限定されるものではない。
【００１４】
【発明の効果】
請求項１項の発明によれば、課電式事故探査機に接続する接続電極に繋がった探査側引出し端子の平坦な端部の表裏に夫々モールド型断路器用又はピラ型断路器用の可動電極を設けたので、高圧キャビネット等の配電用供給箱の内のどちらの断路器でも容易に接続できるので便利であり、また接続の仕方も可動電極を固定電極に嵌合する形なので強固で確実である。さらに接続しない方の固定電極には、絶縁ゴムカバーを被せるので安全である。それ故、課電式事故探査機に探査電源を注入するのには、極めて使い勝手の良いものである。
【図面の簡単な説明】
【図１】この発明の実施の形態例の断路器接続用アダプタの一部縦断面正面図である。
【図２】この発明の実施の形態例の断路器接続用アダプタの一部縦断面側面図である。
【図３】この発明の実施の形態例の断路器接続用アダプタの探査側引出し端子の側面図である。
【図４】この発明の実施の形態例の断路器接続用アダプタの探査側引出し端子の正面図である。
【図５】この発明の実施の形態例の断路器接続用アダプタのモールド型断路器用の可動電極の正面図である。
【図６】この発明の実施の形態例の断路器接続用アダプタのピラ型断路器用の可動電極の正面図である。
【図７】この発明の実施の形態例の断路器接続用アダプタのピラ型断路器用の可動電極の平面図である。
【図８】この発明の実施の形態例の断路器接続用アダプタのピラ型断路器用の可動電極の側面図である。
【図９】この発明の実施の形態例の断路器接続用アダプタの棒状の課電探査機用の接続電極の正面図である。
【図１０】この発明の実施の形態例の断路器接続用アダプタの絶縁ゴムカバーの正面図である。
【図１１】この発明の実施の形態例の断路器接続用アダプタの絶縁ゴムカバーの平面図である。
【図１２】この発明の実施の形態例の断路器接続用アダプタの絶縁ゴムカバーの側面図である。
【図１３】図１０のＡ−Ａ線断面図である。
【図１４】この発明の実施の形態例の断路器接続用アダプタをモールド型断路器に取り付けた状態を示す説明図である。
【図１５】この発明の実施の形態例の断路器接続用アダプタをピラ型断路器に取り付けた状態を示す説明図である。
【符号の説明】
１    断路器接続用アダプタ        ２    モールド型断路器用の可動電極
３    ピラ型断路器用の可動電極    ４    棒状の課電探査機用の接続電極
５    探査側引出し端子            ６    絶縁カバー
７    絶縁ゴムカバー              ８    モールド型断路器
１２    ピラ型断路器
【図１】
0004149116.tif 000002
【図２】
0004149116.tif 000003
【図３】
0004149116.tif 000004
【図４】
0004149116.tif 000005
【図５】
0004149116.tif 000006
【図６】
0004149116.tif 000007
【図７】
0004149116.tif 000008
【図８】
0004149116.tif 000009
【図９】
0004149116.tif 000010
【図１０】
0004149116.tif 000011
【図１１】
0004149116.tif 000012
【図１２】
0004149116.tif 000013
【図１３】
0004149116.tif 000014
【図１４】
0004149116.tif 000015
【図１５】
0004149116.tif 000016